(57)【要約】【課題】機械の機能を動的に構成する方法を提供する。【解決手段】本発明の機械の機能を動的に構成する方法は、エージェント（ａｇｅｎｔ）が第一機械に提供され、所定のプロトコルに基づいて第一機械に伝送されたプロジェクト可能な空間のインスタンスが受信され、プロジェクト可能な空間のインスタンスは第二機械で構成されるように、ワークスペースを構築させるステップ、及びエージェントにより上記プロジェクト可能な空間のインスタンスが解析されると共に作業環境が自動的に構築され、上記ワークスペースに対応する投影されたワークスペースが作成されるステップとを含む。【選択図】図７
2017523542.tif 000002
【特許請求の範囲】
【請求項１】
エージェント（ａｇｅｎｔ）が第一機械に提供され、所定のプロトコルに基づいて前記第一機械に伝送されたプロジェクト可能な空間のインスタンスが受信され、前記プロジェクト可能な空間のインスタンスは第二機械で構成されるように、ワークスペースを構築させるステップと、
前記エージェントにより前記プロジェクト可能な空間のインスタンスが解析されると共に作業環境が自動的に構築され、前記ワークスペースに対応する投影されたワークスペースが作成されるステップとを含むことを特徴とする機械の機能を動的に構成する方法。
【請求項２】
前記プロジェクト可能な空間のインスタンスは前記所定のプロトコルに準じる統一資源識別子（ＵＲＩ）により前記第一機械に伝送されることを特徴とする、請求項１に記載の機械の機能を動的に構成する方法。
【請求項３】
前記統一資源識別子は、ハイパーテキスト・トランスファー・プロトコル（ＨＴＴＰ）統一資源識別子、ファイル・トランスファー・プロトコル（ＦＴＰ）統一資源識別子、ローカルファイル（ｌｏｃａｌ  ｆｉｌｅ）統一資源識別子またはそれらの組合せを含むことを特徴とする、請求項２に記載の機械の機能を動的に構成する方法。
【請求項４】
前記エージェントは、前記プロジェクト可能な空間のインスタンスの解析に用いられると共に前記作業環境を構築させるためのプロジェクターであることを特徴とする、請求項１に記載の機械の機能を動的に構成する方法。
【請求項５】
前記エージェントにより更にプロジェクターが前記第一機械にロードされ、これにより前記プロジェクト可能な空間のインスタンスが解析されると共に前記作業環境が構築されることを特徴とする、請求項１に記載の機械の機能を動的に構成する方法。
【請求項６】
前記プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項１に記載の機械の機能を動的に構成する方法。
【請求項７】
インスタンス処理ユニットを含む第一機械と、
プロジェクト可能な空間のインスタンスを構成させてワークスペースを構築させるための第二機械とを備え、
ここでは、前記インスタンス処理ユニットにより所定のプロトコルに基づいた前記第二機械からの前記プロジェクト可能な空間のインスタンスが受信された後に、前記プロジェクト可能な空間のインスタンスが解析されると共に作業環境が自動的に構築され、前記ワークスペースに対応する投影されたワークスペースが作成されることを特徴とする機械の機能を動的に構成するシステム。
【請求項８】
前記プロジェクト可能な空間のインスタンスは前記所定のプロトコルに準じる統一資源識別子（ＵＲＩ）により前記機械に伝送されることを特徴とする、請求項７に記載の機械の機能を動的に構成するシステム。
【請求項９】
前記統一資源識別子は、ハイパーテキスト・トランスファー・プロトコル（ＨＴＴＰ）統一資源識別子、ファイル・トランスファー・プロトコル（ＦＴＰ）統一資源識別子、ローカルファイル（ｌｏｃａｌ  ｆｉｌｅ）統一資源識別子、またはそれらの組合せを含むことを特徴とする、請求項８に記載の機械の機能を動的に構成するシステム。
【請求項１０】
前記インスタンス処理ユニットはエージェント（ａｇｅｎｔ）であることを特徴とする、請求項７に記載の機械の機能を動的に構成するシステム。
【請求項１１】
前記エージェントは、前記プロジェクト可能な空間のインスタンスの解析に用いられると共に前記作業環境を構築させるためのプロジェクターであることを特徴とする、請求項１０に記載の機械の機能を動的に構成するシステム。
【請求項１２】
前記エージェントにより更にプロジェクターが前記機械にロードされ、これにより前記プロジェクト可能な空間のインスタンスが解析されると共に前記作業環境が構築されることを特徴とする、請求項１０に記載の機械の機能を動的に構成するシステム。
【請求項１３】
前記プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項７に記載の機械の機能を動的に構成するシステム。
【請求項１４】
前記第一機械は、家用電器、医療設備、またはネットワーク設備であることを特徴とする、請求項７に記載の機械の機能を動的に構成するシステム。
【請求項１５】
インスタンス処理ユニットを含む機械であって、前記インスタンス処理ユニットは所定のプロトコルに基づいて前記機械に伝送されるプロジェクト可能な空間のインスタンスを受信させ、且つ前記プロジェクト可能な空間のインスタンスが伝送される前に他の機械により構成（ｃｏｎｆｉｇｕｒｅ）されるように、ワークスペースが構築され、前記インスタンス処理ユニットにより前記プロジェクト可能な空間のインスタンスが受信された後に前記プロジェクト可能な空間のインスタンスが解析されると共に作業環境が自動的に構築され、前記ワークスペースに対応する投影されたワークスペースが作成されることを特徴とする機械。
【請求項１６】
前記プロジェクト可能な空間のインスタンスは前記所定のプロトコルに準じる統一資源識別子（ＵＲＩ）により前記機械に伝送されることを特徴とする、請求項１５に記載の機械。
【請求項１７】
前記統一資源識別子は、ハイパーテキスト・トランスファー・プロトコル（ＨＴＴＰ）統一資源識別子、ファイル・トランスファー・プロトコル（ＦＴＰ）統一資源識別子、ローカルファイル（ｌｏｃａｌ  ｆｉｌｅ）統一資源識別子、またはそれらの組合せを含むことを特徴とする、請求項１６に記載の機械。
【請求項１８】
前記インスタンス処理ユニットはエージェント（ａｇｅｎｔ）であることを特徴とする、請求項１５に記載の機械。
【請求項１９】
前記エージェントは、前記プロジェクト可能な空間のインスタンスの解析に用いられると共に前記作業環境を構築させるためのプロジェクターであることを特徴とする、請求項１８に記載の機械。
【請求項２０】
前記プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）であることを特徴とする、請求項１５に記載の機械。
【発明の詳細な説明】
【技術分野】
【０００１】
本発明は、構成方法に関し、より詳しくは、ワークスペースにより機械の機能を動的に構成する方法に関する。本発明は機械の機能を動的に構成するシステムに関する。
【背景技術】
【０００２】
情報通信技術の日進月歩の発展に伴い、情報化、デジタル化、人間中心、及び利便化されたスマートライフが将来のトレンドとなっている。日常生活に関わる電子製品、特にネットワーク接続機能を有する家電製品等の電子製品がスマートライフを実現するための鍵となっている。このため、電子製品のスマート化が産業界の目指すべき未来の発展方向となっている。
【０００３】
しかしながら、現在市場に出回る電子製品が提供する機能は出庫前に設定されたものばかりであり、一般消費者が購入した電子製品に自分で機能を増設させたり、個人的な習慣や需要に合わせてその設定を変更させることができなかった。例えば、一般家庭用のテレビは、受信させたケーブルテレビの信号、インターネットの信号、またはオーディオビジュアルの信号を画面としてスクリーン上に映し出す機能のみを提供する。ユーザーが家の中の他の電子製品の使用情報（例えば、電池の残量低下の警告情報）や個人のスケジュール情報（例えば、会議の時間の通知情報）等を家庭用のテレビのスクリーンに表示させたい場合、ユーザーは関連するアクセサリーを別途購入しなければならず、或いは需要に見合ったテレビを新たに購入せねば実現できなかった。これでは理想的なスマートライフを実現できない。
【発明の概要】
【発明が解決しようとする課題】
【０００４】
本発明は、機械の機能を動的に構成する方法及びシステムを提供し、ユーザーが機械の機能を自由に自分好みに設定でき、ユーザーの生活習慣や需要に寄り添わせることを主な目的とする。
【課題を解決するための手段】
【０００５】
好ましい実施態様では、本発明に係る機械の機能を動的に構成する方法は、
エージェント（ａｇｅｎｔ）が第一機械に提供され、所定のプロトコルに基づいて前記第一機械に伝送されたプロジェクト可能な空間のインスタンスが受信され、前記プロジェクト可能な空間のインスタンスは第二機械で構成されるように、ワークスペースを構築させるステップと、
前記エージェントにより前記プロジェクト可能な空間のインスタンスが解析されると共に作業環境が自動的に構築され、前記ワークスペースに対応する投影されたワークスペースが作成されるステップとを含む。
【０００６】
他の好ましい実施態様では、本発明に係る機械の機能を動的に構成するシステムは、
インスタンス処理ユニットを含む第一機械と、
プロジェクト可能な空間のインスタンスを構成させてワークスペースを構築させるための第二機械とを備え、
ここでは、前記インスタンス処理ユニットにより所定のプロトコルに基づいた前記第二機械からの前記プロジェクト可能な空間のインスタンスが受信された後に、前記プロジェクト可能な空間のインスタンスが解析されると共に作業環境が自動的に構築され、前記ワークスペースに対応する投影されたワークスペースが作成される。
【０００７】
さらなる他の好ましい実施態様では、本発明は機械を提供する。機械はインスタンス処理ユニットを含み、前記インスタンス処理ユニットは所定のプロトコルに基づいて前記機械に伝送されるプロジェクト可能な空間のインスタンスを受信させ、且つ前記プロジェクト可能な空間のインスタンスが伝送される前に他の機械により構成（ｃｏｎｆｉｇｕｒｅ）されるように、ワークスペースが構築され、前記インスタンス処理ユニットにより前記プロジェクト可能な空間のインスタンスが受信された後に前記プロジェクト可能な空間のインスタンスが解析されると共に作業環境が自動的に構築され、前記ワークスペースに対応する投影されたワークスペースが作成される。
【０００８】
好ましい実施態様では、前記プロジェクト可能な空間のインスタンスは前記所定のプロトコルに準じる統一資源識別子（ＵＲＩ）により前記第一機械に伝送される。
【０００９】
好ましい実施態様では、前記統一資源識別子は、ハイパーテキスト・トランスファー・プロトコル（ＨＴＴＰ）統一資源識別子、ファイル・トランスファー・プロトコル（ＦＴＰ）統一資源識別子、ローカルファイル（ｌｏｃａｌ  ｆｉｌｅ）統一資源識別子またはそれらの組合せを含む。
【００１０】
好ましい実施態様では、前記エージェントは、前記プロジェクト可能な空間のインスタンスの解析に用いられると共に前記作業環境を構築させるためのプロジェクターである。
【００１１】
好ましい実施態様では、前記エージェントにより更にプロジェクターが前記第一機械にロードされ、これにより前記プロジェクト可能な空間のインスタンスが解析されると共に前記作業環境が構築される。
【００１２】
好ましい実施態様では、前記プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）である。
【００１３】
好ましい実施態様では、前記インスタンス処理ユニットはエージェント（ａｇｅｎｔ）である。
【００１４】
好ましい実施態様では、前記エージェントは、前記プロジェクト可能な空間のインスタンスの解析に用いられると共に前記作業環境を構築させるためのプロジェクターである。
【００１５】
好ましい実施態様では、前記エージェントにより更にプロジェクターが前記機械にロードされ、これにより前記プロジェクト可能な空間のインスタンスが解析されると共に前記作業環境が構築される。
【００１６】
好ましい実施態様では、前記プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）で生成されるインスタンス（ｉｎｓｔａｎｃｅ）である。
【００１７】
好ましい実施態様では、前記第一機械は、家用電器、医療設備、またはネットワーク設備である。
【図面の簡単な説明】
【００１８】
【図１】実施形態における本発明に応用する統一方法の実施概念の概略図である。
【図２】統一スクリプトを個人用ワークスペースを実現するための中間言語とする好ましい概念の概略図である。
【図３】本発明の個人用ワークスペース上に統一要素を構成する好ましい構成の概略図である。
【図４】好ましい実施形態における本発明の投影ワークスペースを構築する概略図である。
【図５Ａ】好ましい実施形態における本発明の投影ワークスペースを構築する概略図である。
【図５Ｂ】好ましい実施形態における本発明の投影ワークスペースを構築する概略図である。
【図６】本発明のプロジェクト可能な空間のインスタンスと投影されたワークスペースの相対関係の概略図である。
【図７】本発明の機械の機能を動的に構成する方法の好ましい方法のフローチャートである。
【図８】好ましい実施形態における本発明の構成方法を応用する構成システムの初期状態の概略図である。
【図９Ａ】図８に示す構成システムの順次動作の概念の概略図である。
【図９Ｂ】図８に示す構成システムの順次動作の概念の概略図である。
【図９Ｃ】図８に示す構成システムの順次動作の概念の概略図である。
【図１０】他の好ましい実施形態における本発明の構成方法を応用する構成システムの初期状態の概略図である。
【図１１Ａ】図１０に示す構成システムの順次動作の概念の概略図である。
【図１１Ｂ】図１０に示す構成システムの順次動作の概念の概略図である。
【図１１Ｃ】図１０に示す構成システムの順次動作の概念の概略図である。
【発明を実施するための形態】
【００１９】
本発明は、以下の用語及び結論の実例を含む以下の説明により、より完全な理解を促す。簡潔にするために、本明細書において、発明の公開された内容を含む出版物を本文に参照のために引用する。
【００２０】
以下、本発明の実施形態は制限がなく、且つ本発明の各種の態様及び特徴を示すのみである。最も制限を受ける技術的意義について、本文で述べる「情報源」とは有用な情報に翻訳される符号の序列を指し、且つこれら上記有用な情報は情報の整理及びラベリングに用いられる。情報源は、ウェブサイト（例えば、インターネットサービス）、イントラネット、ソーシャルネットワーク、ソフトウェア、電子書籍、データベース、及び他の情報メディアを含む（例えば、非一時的コンピューターに用いられる記録媒体、モバイル装置の記録媒体）。また、本文で述べる「元の情報」は、ファイル、ウェブページ、データベース、ポリシー、ルール、或いは関連する機器及びサーバーがアクセス可能なあらゆる情報を含み、本文で述べる「元のツール」は、ユーティリティプログラム、ウィジェット、知的エージェントツール、アプリケーションプログラム、サービスツール、或いは関連する機器及びサーバーがアクセス可能なあらゆる実行可能な要素を含む。但し、情報源、元の情報、及び元のツールは上述のものに限定されない。
【００２１】
なお、「元の情報」及び「元のツール」は共に本文で述べる「元の要素」の実施態様であり、且つ本発明の実施においては、同じまたは異なる「情報源」からの複数の「元の要素」は全て統一方法を経て複数の「統一要素」にそれぞれモデル化され、同じ作業環境で複数の「統一要素」が全て互いに互換し、協調して特定のタスクを実行できる。「統一ツール」及び「統一情報ユニット」は共に「統一要素」の実施態様である。また、本文で述べる「マテライザー（Ｍａｔｔｅｒｉｚｅｒ）」は、「元の要素」に対して統一を行う部材、装置、あるいはプログラムコードである。
【００２２】
ある実施態様では、上述の統一方法は、統一データモデルに基づいて複数の情報源の少なくとも１つの情報源から取得される元の情報が再編されることにより、元の情報が統一情報ユニットにモデル化（ｍｏｄｅｌｉｎｇ）され、及び／或いは他の統一データモデルに基づいて複数の情報源の少なくとも１つの情報源から取得される元のツールが再編されることにより、元のツールが統一ツールにモデル化される。上記統一データモデル及び上記他の統一データモデルは同じであるか、または異なり、且つ上述の統一方法はマテライザー（Ｍａｔｔｅｒｉｚｅｒ）により完成される。
【００２３】
図１は実施形態における上述の統一方法の実施概念の概略図である。図１は、マテライザー９９２が統一データモデル９９３に基づいて元の要素９９１の属性及び関連リンクを再編させ、元の要素９９１が統一要素９９４にモデル化され、統一要素９９４の基本属性が元の要素のタイプ（ｔｙｐｅ）及び元の要素のロケーションを表示するリンク（ｌｉｎｋ）を含むことを図示する。
【００２４】
本実施態様では、元の要素９９１は元の情報（図示せず）または元のツール（図示せず）を少なくとも含むが、但しこれに限定されない。次いで、上述の統一方法において、元の情報から取得された属性が統一情報ユニット中で統一された属性に対応する場合、マテライザー９９２により統一情報ユニットが直接生成される。元の情報から取得される属性が統一情報ユニット中で統一された属性に対応しない場合、先ず元の情報の属性及び関連リンクに対して論理的再編が行われることにより元の情報が再定義され、元の情報がその属性が統一情報ユニット中で統一された属性に対応する新しい元の情報に変換され、統一情報ユニットが間接的に生成される。
【００２５】
なお、元のツールがワークスペース（ｗｏｒｋｓｐａｃｅ）の作業環境に互換性がある場合、マテライザー９９２により上記統一ツールが直接生成される。元のツールがワークスペースの作業環境に互換性がない場合、アダプタ（ａｄａｐｔｅｒ）及び／或いは元のツールのソフトウェア開発キット（ＳＤＫ）により元のツールが駆動されて上記統一ツールが間接的に生成される。また、上記アダプタ（ａｄａｐｔｅｒ）によりワークスペースに互換性のあるインターフェースの実装（ｉｎｔｅｒｆａｃｅ  ｉｍｐｌｅｍｅｎｔａｔｉｏｎ）が提供される。
【００２６】
本実施形態に係る「統一方法の具体的な実施方式」、「統一要素の具体的な獲得方式」、及び「マテライザーの具体的な作動方式」はアメリカ特許出願第１４／３２４０６９号「Ａ  ＭＥＴＨＯＤ  ＯＦ  ＵＮＩＦＹＩＮＧ  ＩＮＦＯＲＭＡＴＩＯＮ  ＡＮＤ  ＴＯＯＬ  ＦＲＯＭ  Ａ  ＰＬＵＲＡＬＩＴＹ  ＯＦ  ＩＮＦＯＲＭＡＴＩＯＮ  ＳＯＵＲＣＥＳ」を参照し、上記アメリカ特許出願１４／３２４０６９号を国際優先権主張の基礎とする中国特許出願第２０１４１０７６８５６４．Ｘ号「複数の情報源からの情報とツールを統一する方法及び前記方法、並びに前記方法を応用するコンピュータプログラム製品及び装置」を参照するため、ここでは再述しない。また、本技術分野に習熟する者ならば、実際の応用の需要に応じて同等の効果を達成させるあらゆる設計変更が可能である。
【００２７】
ちなみに、上述の統一方法は本願が採用する統一方法の実施形態にすぎず、異なる情報源からの複数の元の要素を統一する方法は以上のものに限られず、本技術に習熟する者ならば実際の応用の需要に応じて同等の効果を達成させるあらゆる設計変更が可能である。
【００２８】
以下では上述の説明とは異なる２つの統一方法を例示する。第一統一方法はＧａｒｍｉｎ（登録商標）の衛星ナビゲーションに応用されるデータ統一方法であり、Ｇａｒｍｉｎの衛星ナビゲーションの興味のある地点（Ｐｏｉｎｔ  ｏｆ  Ｉｎｔｅｒｅｓｔ、ＰＯＩ）機能は、上記データ統一方法によりその中に入力される元の地点情報（元の情報）に対して統一プロセスが実行されることにより対応する統一地点情報（統一情報ユニット）が獲得される。第二方法はアンドロイド（登録商標）（Ａｎｄｒｏｉｄ）システムに応用されるツール統一方法である。アンドロイド（Ａｎｄｒｏｉｄ）システムはＬｉｎｕｘ（登録商標）を基礎とするオープンソースのモバイルオペレーティングシステムであり、但し、アンドロイドシステムにおけるアプリケーションプログラム（元のツール）の多くはＪａｖａ（登録商標）でプログラムされており、よってＪａｖａ（登録商標）でプログラムされたアプリケーションプログラム（元のツール）は全て上記ツール統一方法によりアンドロイドシステムに互換性のある統一アプリケーションプログラム（統一ツール）にモデル化され、アンドロイドシステム上で実行可能となる。
【００２９】
さらに、本文で述べる「ワークスペース」とは、少なくとも１つのマテライザー及び／或いは少なくとも１つのツール及び／或いは少なくとも１つの情報をインタラクティブに動作させて特定のタスクを実行させるためのワークスペースを指し、且つ少なくとも１つの情報及び／或いは少なくとも１つのツールは少なくとも１つのマテライザーによりワークスペース中に入力されるが、但し、情報及び／或いはツールをワークスペースに入力する方式はこれに限られない。次に、下述の情報入力器（ｉｎｆｏｒｍａｔｉｏｎ  ｉｍｐｏｒｔｅｒ）（図５の情報入力器９８８１、９８８２、９８８３等）は全てマテライザーの実施態様である。また、本文で述べる「統一スクリプト」とは、ワークスペースを実現させるための中間言語とするものを指し、且つ「統一スクリプト」により少なくとも１つのマテライザー及び／或いは少なくとも１つの情報及び／或いは少なくとも１つのツールがワークスペースに提供される（例えば、ビルトインやプラグイン）。
【００３０】
ある実施態様では、上述の少なくとも１つの情報は、少なくとも１つの情報源から取得される少なくとも１つの元の情報が統一された後に形成される少なくとも１つの統一情報ユニットであり、上述の少なくとも１つのツールは、少なくとも１つの情報源から取得される少なくとも１つの元のツールが統一された後に形成される少なくとも１つの統一ツールである。ユーザーは異なるタスクに基づいて、必要な統一情報ユニット及び／或いは統一ツールを対応する情報源から（例えば、ビルトインやプラグイン）個人用ワークスペース中に加える。ゆえに、「ワークスペース」はユーザー指向の「個人用ワークスペース」である。
【００３１】
より詳しくは、図２及び図３を参照し、図２は統一スクリプトを個人用ワークスペースを実現させるための中間言語とする好ましい概念の概略図であり、図３は図２に示す個人用ワークスペースの好ましい配置の概略図である。図２及び図３はユーザーがタスクの必要に応じて、Ｄｒｏｐｂｏｘ（登録商標）９８２中の元の情報９８５に対応する統一情報ユニット９８５’、クラウドストレージ９８３中の互換性のある元のツール９８６に対応する第一統一ツール９８６’、及びサーバー９８４中の互換性のない元のツール９８７に対応する第二統一ツール９８７’を個人用ワークスペース９８１中で組み合わせることを図示する。更に詳しくは、ユーザーは先ず個人用ワークスペース９８１を実現させるための中間言語とする統一スクリプト９８０を編集し、且つ統一スクリプト９８０によりＤｒｏｐｂｏｘ９８２の情報入力器９８８１、クラウドストレージ９８３の情報入力器９８８２、及びサーバー９８４の情報入力器９８８３の設定（ｃｏｎｆｉｇｕｒｅ）を行う。情報入力器９８８１によりＤｒｏｐｂｏｘ９８２中の元の情報９８５が統一情報ユニット９８５’に統一され、且つ個人用ワークスペース９８１に入力される。例えば、限定されないが、統一スクリプト９８０とは、ワークスペースを実現するための中間言語とするものを指し、且つ情報入力器９８８２はＤｒｏｐｂｏｘ９８２のマテライザーである。
【００３２】
さらに、図２及び図３は、クラウドストレージ９８３内に保存される元のツールが互換性のある元のツール９８６であり（すなわち、上記互換性のある元のツール９８６が個人用ワークスペース９８１中の統一ツールに用いられるコンポーネント構造と互換する）、且つ統一スクリプト９８０（その中の情報入力器９８８２が利用される）により互換性のある元のツール９８６に対応する第一統一ツール９８６’が個人用ワークスペース９８１に直接提供されることを図示する。
【００３３】
なお、図２及び図３は、サーバー９８４内に保存される元のツールが互換性のない元のツール９８７であり（すなわち、上記互換性のない元のツール９８７が個人用ワークスペース９８１中で統一ツールに用いられるコンポーネント構造と互換しない）、且つスクリプト９８０（その中の互換性のあるアダプタ９８９及び情報入力器９８８３が利用される）により互換性のない元のツール９８７に対応する第二統一ツール９８７’が個人用ワークスペース９８１に提供されることを更に図示する。
【００３４】
また、図３は、ユーザーが実際の応用の必要に応じて統一情報ユニット９８５’、第一統一ツール９８６’、及び第二統一ツール９８７’を個人用ワークスペース９８１の特定の領域に配置させる（例えば、グループ化（ｇｒｏｕｐｉｎｇ）または配置（ｐｌａｃｉｎｇ））ことを図示する。最後に、ユーザーが統一ツール及び統一情報ユニットの間の動作関係により（例えば、両者の間のクリック動作またはドラッグ動作）統一ツールを使用して対応する統一情報ユニットにアクセス或いは制御させることにより、必要なタスクを実行させる。
【００３５】
本実施形態で述べる「統一スクリプトを個人用ワークスペースを実現するための中間言語とする具体的な実施方式」、「ユーザーが実際の応用の必要に応じて必要な統一情報ユニット及び／或いは必要な統一ツールを対応する情報源に基づいて個人用ワークスペース中に自由に組み合わせることでタスクを実行する具体的な実施方式」はアメリカ特許出願第１４／３２５４６６号「ＭＥＴＨＯＤ  ＦＯＲ  ＰＥＲＦＯＲＭＩＮＧ  ＴＡＳＫ  ＯＮ  ＵＮＩＦＩＥＤ  ＩＮＦＯＲＭＡＴＩＯＮ  ＵＮＩＴＳ  ＩＮ  Ａ  ＰＥＲＳＯＮＡＬ  ＷＯＲＫＳＰＡＣＥ」を更に参照し、アメリカ特許出願第１４／３２４０６９号、アメリカ特許出願第１４／３２５４６６を国際優先権主張の基礎とする中国特許出願第２０１４１０７９６５２８．４号「パーソナルワークスペースで統一要素に対して組合せを行う方法、並びに前記方法を応用するコンピュータプログラム製品及びシステム」を参照し、ここでの詳述は省く。
【００３６】
ちなみに、上述の個人用ワークスペースはワークスペースの実施形態にすぎず、本発明に応用されるワークスペースは上述のものに限定されない。例えば、ワークスペースを実現させるための中間言語とする統一スクリプトが予め編集されて、ワークスペースが既定のマテライザー及び／或いは既定の情報及び／或いは既定のツールがビルトインされるワークスペースとなる。このようなワークスペースは単一のユーザーによる使用に限定されず、実際の応用の需要に応じて複数のユーザーが同時または別々に操作可能である。また、本文で述べるワークスペースは、ワークスペースの投影方法により計算能力を有するあらゆる電子デバイスに投影され、あらゆるユーザーが計算能力を有するあらゆる電子デバイス上で投影されたワークスペース（ｐｒｏｊｅｃｔｅｄ  ｗｏｒｋｓｐａｃｅ）を操作可能である。
【００３７】
ある実施態様では、ワークスペースの投影方法は、先ず、ユーザーが統一資源識別子（ＵＲＩ）により（例えば、ユーザーが機械のマウスを操作して統一資源識別子をクリックすることにより）統一スクリプトが生成（ｉｎｓｔａｎｔｉａｔｅｄ）させるプロジェクト可能な空間のインスタンス（ｐｒｏｊｅｃｔａｂｌｅ  ｓｐａｃｅ  ｉｎｓｔａｎｃｅ）を機械にロードさせる。統一スクリプトはマテライザー、情報、及びツールの内の少なくとも１つにより構築されるワークスペースが配置されるように定義され（例えば、前述の説明）、且つプロジェクト可能な空間のインスタンスはワークスペースに対応する投影されたワークスペースの構築に用いられ、マテライザー、情報、及びツールの内の少なくとも１つを操作することでタスクを実行できるインターフェースが提供されるステップを含む。次に、機械のプロジェクター（ｐｒｏｊｅｃｔｏｒ）が利用されて上記プロジェクト可能な空間のインスタンスが解析され、マテライザー、情報、及びツールの内の少なくとも１つが上記プロジェクト可能な空間のインスタンス中に配置される作業環境が構築され、投影されたワークスペースが実行され、これにより少なくとも１人のユーザー及び投影されたワークスペースがインタラクティブに動作する。
【００３８】
プロジェクターはリモートデータステーション、プロジェクト可能な空間のインスタンス、またはプレロードされたアプリケーションプログラム中から取得され、且つ互換環境を提供してプロジェクターを実行させるための機械のエンジン（ｅｎｇｉｎｅ）にロードされる。エンジンはＪａｖａ（登録商標）ｓｃｒｉｐｔエンジン、ウィンドウズ（登録商標）アプリケーションプログラム、或いはＬｉｎｕｘ（登録商標）アプリケーションプログラム等を含むが、上述のものに限定されない。また、統一スクリプトは、ドキュメントタイプ定義（ＤＴＤ）、拡張可能マークアップ言語スキーマ（ＸＭＬ  ｓｃｈｅｍａ）、構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で宣言されることにより形成されるが、上述のものに限定されない。プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で生成されるインスタンス（ｉｎｓｔａｎｃｅ）であるが、上述のものに限定されない。
【００３９】
より詳しくは、図４、図５Ａ乃至図５Ｂ及び図６を参照する。図４は好ましい実施形態における上述のワークスペースの投影方法の初期状態の概略図であり、図５Ａ及び図５Ｂは図４に示すワークスペースの投影方法の運用概念の概略図であり、図６は図４に示すプロジェクト可能な空間のインスタンス及び図５Ｂに示す投影されたワークスペースの相対関係の概略図である。図６に示す初期状態において、相互に接続される（例えば、インターネットを通して接続される）第一電子デバイス９７１及び第二電子デバイス９７２が存在し、且つ第一電子デバイス９７１にはプロジェクト可能な空間のインスタンス９７３が保存され、第二電子デバイス９７２にはプロジェクター９７４がビルトインされる。
【００４０】
なお、統一スクリプト９７３１はドキュメントタイプ定義（ＤＴＤ）で宣言されることにより形成され、且つ少なくとも１つの情報入力器（マテライザーの実施態様）及び／或いは少なくとも１つの統一情報ユニット及び／或いは少なくとも１つの統一ツールにより構築されるワークスペースが配置されるように定義され、プロジェクト可能な空間のインスタンス９７３は拡張可能マークアップ言語（ＸＭＬ）で生成されるインスタンスであり、図６に示すように、ワークスペースに対応する投影されたワークスペース９７６の構築（ｂｕｉｌｄ）に用いられ、且つ情報入力器及び／或いは統一情報ユニット及び／或いは統一ツールががその中に加えられるか、またはその中から削除される。上述の説明をより詳細に下述する。
【００４１】
さらに、第二電子デバイス９７２のプロジェクター９７４は第二電子デバイス９７２上に投影されたワークスペース９７６の動作に用いられる作業環境９７５を構築させ、且つマイクロカーネル９７７（図６参照）が上記作業環境９７５に提供されることにより投影されたワークスペース９７６中に加えられる少なくとも１つの情報入力器及び／或いは少なくとも１つの統一情報ユニット及び／或いは少なくとも１つの統一ツールが装備（ｅｑｕｉｐ）される。第二電子デバイス９７２のユーザー９６が統一資源識別子により第一電子デバイス９７１のプロジェクト可能な空間のインスタンス９７３を第二電子デバイスにロードさせると（例えば、ユーザーが第二電子デバイス９７２のマウスを操作して統一資源識別子をクリックすると）、第二電子デバイス９７２のプロジェクター９７４がプロジェクト可能な空間のインスタンス９７３に対する解析を開始させる（図８Ａ参照）。なお、プロジェクト可能な空間のインスタンス９７３がプロジェクター９７４により解析された後、投影されたワークスペース９７６がプロジェクト可能な空間のインスタンス９７３により解析された内容に基づいて作業環境９７５上に構築される（図８Ｂ参照）。これにより、第二電子デバイス９７２のユーザーは第二電子デバイス９７２を介して投影されたワークスペース９７６とのインタラクティブな動作が可能になり、関連するタスクが実行される。
【００４２】
以下、図７に示す使用状況を例に上述の統一スクリプト９８０、プロジェクト可能な空間のインスタンス９７３、及び投影されたワークスペース９７６の相互の関係を説明する。図７に示す使用状況は、投影されると共に指定されたインターネット空間内に保存されるｊｐｇフォーマットイメージファイル及びｇｉｆフォーマットイメージファイルを読み取り可能なユーザーに観察させるためのワークスペースが構築される。また、本使用状況において、統一スクリプト９８０は、ドキュメントタイプ定義（ＤＴＤ）で宣言され、プロジェクト可能な空間のインスタンス９７３は拡張可能マークアップ言語（ＸＭＬ）で生成される。
【００４３】
なお、プロジェクト可能な空間のインスタンス９７３には情報入力器及び統一ツールが加えられ、且つ情報入力器により少なくとも１つの元の情報に対応する少なくとも１つの統一情報ユニットが投影されたワークスペース９７６中に入力される。本使用状況において、情報入力器はＤｒｏｐｂｏｘ（登録商標）入力器であり（すなわち、破線枠９７６１として図示する）、且つ元の情報はＤｒｏｐｂｏｘ９７９情報源中のｊｐｇフォーマットイメージファイル９７９１、９７９２、及びｇｉｆフォーマットイメージファイル９７９３であり、統一情報ユニットは後述の統一ｊｐｇフォーマットイメージファイル９７９１’、９７９２’、及び統一ｇｉｆフォーマットイメージファイル９７９３’であり、統一ツールはイメージビューアであり（すなわち、破線枠９７６２として図示する）、投影されたワークスペース９７６中に入力されるフォーマットイメージファイルの読み取りに用いられる。
【００４４】
上述したように、投影されたワークスペース９７６はプロジェクト可能な空間のインスタンス９７３で第二電子デバイス９７２におけるプロジェクター９７４により解析された後に構築され、投影されたワークスペース９７６上にＤｒｏｐｂｏｘ入力器９７６１’（図示される破線枠９７６１に対応する）及びイメージビューア９７６２’（図示される破線枠９７６２に対応する）が配置され、Ｄｒｏｐｂｏｘ入力器９７６１’によりＤｒｏｐｂｏｘ９７９情報源中のｊｐｇフォーマットイメージファイル９７９１、９７９２、及びｇｉｆフォーマットイメージファイル９７９３が統一されると共に投影されたワークスペース９７６に入力され、ｊｐｇフォーマットイメージファイル９７９１、９７９２、及びｇｉｆフォーマットイメージファイル９７９３にそれぞれ対応する統一ｊｐｇフォーマットイメージファイル９７９１’、９７９２’、及び統一ｇｉｆフォーマットイメージファイル９７９３’が投影されたワークスペース９７６上で表示される。次いで、第二電子デバイス９７２のユーザー９６が特定の操作方式により統一ｊｐｇフォーマットイメージファイル９７９１’、９７９２’、及び統一ｇｉｆフォーマットイメージファイル９７９３’の内の何れか１つに対する操作を行うと（例えば、統一ｊｐｇフォーマットイメージファイル９７９１’、９７９２’、及び統一ｇｉｆフォーマットイメージファイル９７９３’の内の何れか１つがクリックされる、或いは統一ｊｐｇフォーマットイメージファイル９７９１’、９７９２’、及び統一ｇｉｆフォーマットイメージファイル９７９３’の内の何れか１つがイメージビューア９７６２’までドラッグされる）、イメージビューア９７６２’により統一ｊｐｇフォーマットイメージファイル９７９１’、９７９２’、及び統一ｇｉｆフォーマットイメージファイル９７９３’の内の何れか１つの内容が読み取られて表示され、ユーザーが観察できるようになる。また、上述のＤｒｏｐｂｏｘ入力器９７６１’及びイメージビューア９７６２’はマイクロカーネル９７７により装備（ｅｑｕｉｐ）される。
【００４５】
ちなみに、プロジェクト可能な空間のインスタンス９７３の統一資源識別子はハイパーテキスト・トランスファー・プロトコル（ＨＴＴＰ）統一資源識別子またはファイル転送プロトコル（ＦＴＰ）統一資源識別子であり、第一電子デバイス９７１及び第二電子デバイス９７２が１つの装置に統合される場合、プロジェクト可能な空間のインスタンス９７３の統一資源識別子もローカルファイル（ｌｏｃａｌ  ｆｉｌｅ）統一資源識別子であり、但し、統一資源識別子の形態は上述のものに限られない。また、プロジェクト可能な空間のインスタンス９７３はオリジナルの編集者がアクセス可能である以外、権限のあるユーザーまたは権限のある機械もアクセス可能である。例えば、権限のあるユーザーが権限のあるユーザーアカウント及びパスワードを使用して統一資源識別子によりプロジェクト可能な空間のインスタンス９７３を取得可能である。
【００４６】
本実施形態で述べる「ワークスペースの投影方法の具体的な獲得方式」はアメリカ特許出願第１４／５７７７７２号「ＭＥＴＨＯＤ  ＯＦ  ＰＲＯＪＥＣＴＩＮＧ  Ａ  ＷＯＲＫＳＰＡＣＥ  ＡＮＤ  ＳＹＳＴＥＭ  ＵＳＩＮＧ  ＴＨＥ  ＳＡＭＥ」を参照し、アメリカ特許出願第１４／３２４０６９、１４／３２５４６６、１４／５７７７７２号を国際優先権主張の基礎とする中国特許出願第２０１４１０８１４１３８．５号「ワークスペースの投影方法及び前記ワークスペースの投影方法を応用するシステム」を参照し、ここでの詳述は省く。
【００４７】
ちなみに、上述のワークスペースの投影方法は本願のワークスペースが計算能力を有するあらゆる電子デバイスに投影される投影方法にすぎず、但し、ワークスペースが計算能力を有するあらゆる電子デバイスに投影される投影方法は上述のものに限られない、本技術分野に習熟する者ならば実際の応用の需要に応じて同等の効果を達成させるあらゆる設計変更が可能である。
【００４８】
上述または他の技術により、本発明は機械の機能を動的に構成する方法を提供する。本発明の構成方法について、以下の実施形態及び添付図面を参照してより詳細に説明する。
【００４９】
図７は本発明に係る機械の機能を動的に構成する方法の好ましい方法のフローチャートである。機械の機能を動的に構成する方法は、エージェント（ａｇｅｎｔ）が第一機械に提供され、所定のプロトコルに基づいて上記第一機械に伝送されたプロジェクト可能な空間のインスタンスが受信され、上記プロジェクト可能な空間のインスタンスは第二機械で構成されるように、ワークスペースを構築させるステップＰ１と、上記エージェントにより上記プロジェクト可能な空間のインスタンスが解析されると共に作業環境が自動的に構築され、上記ワークスペースに対応する投影されたワークスペースが作成されるステップＰ２とを含む。
【００５０】
プロジェクト可能な空間のインスタンスは、ユーザーの希望に基づいて第一機械が提供する機能及び／或いは動作が構成される。上述の機械の機能を動的に構成する方法について、下述の好ましい実施形態を例に更に詳しく説明する。
【００５１】
図８及び図９Ａ乃至図９Ｃを参照し、図８は好ましい第一実施形態における本発明に係る構成方法を応用する構成システムの初期状態の概略図であり、図９Ａ乃至図９Ｃは図８に示す機械の機能を動的に構成する方法の順次動作の概念の概略図である。図８に示す初期状態において、機械の機能を動的に構成するシステムは、第一機械１と、第二機械２と、第三機械３と、第四機械４とを含み、且つこれら上記機械１乃至４の間は相互に接続される（例えば、インターネットを通して接続される）。
【００５２】
さらに、第一機械１はユーザー５により機能が設定される機械であり、且つエージェント１１を含む。第二機械２はユーザー５により操作される機械であり、例えば、スペースマネージャー（ｓｐａｃｅ  ｍａｎａｇｅｒ）２１を有するコンピューターである。第三機械３はプロジェクト可能な空間のインスタンス３１Ａが保存される機械であり、例えば、ネットワークアタッチトストレージ（ＮＡＳ）である。第四機械４はプロジェクター４１が保存される機械である。
【００５３】
ユーザー５が第一機械１の機能及び／或いは動作プロセスを設定する場合、実際の需要に応じて第二機械２のスペースマネージャー２１により第三機械３のプロジェクト可能な空間のインスタンス３１Ａを構成させ、且つ構成完了後にプロジェクト可能な空間のインスタンス３１Ａに対応する統一資源識別子（ＵＲＩ）を第一機械１に伝送させる（図９Ａ参照）。次に、ユーザー５が第二機械２から伝送させた統一資源識別子が第一機械１のエージェント１１により受信されると共に自動的に開かれ、第三機械３のプロジェクト可能な空間のインスタンス３１Ａが獲得され、ステップＰ１及び図９Ｂに示すようになる。
【００５４】
なお、第一機械１のエージェント１１により第四機械４中のプロジェクター４１が第一機械１にロードされ、プロジェクター４１により第一機械１が獲得したプロジェクト可能な空間のインスタンス３１Ａに対する解析が行われ、且つ第一機械１上で作業環境が構築される。プロジェクト可能な空間のインスタンス３１Ａがプロジェクター４１により解析された後、投影されたワークスペース３１Ｂがプロジェクト可能な空間のインスタンス３１Ａの内容に基づいて作業環境上に構築され、ステップＰ２及び図９Ｃに示すようになる。これにより、第一機械１が投影されたワークスペース３１Ｂによりユーザー５が求める機能及び／或いは動作プロセスが提供される。
【００５５】
説明を補足すると、第一機械１に含まれるエージェント１１が、所定のプロトコルに基づいて第一機械１に伝送された統一資源識別子を自動的に開くように設定される。例えば、上記所定のプロトコルに準じる統一資源識別子は、ハイパーテキスト・トランスファー・プロトコル（ＨＴＴＰ）統一資源識別子、ファイル・トランスファー・プロトコル（ＦＴＰ）統一資源識別子、またはローカルファイル（ｌｏｃａｌ  ｆｉｌｅ）統一資源識別子等であるが、但し上述のものに限定されない。
【００５６】
当然ながら、上述は好ましい実施形態の１つにすぎず、本技術に習熟する者ならば実際の応用の需要に応じて同等の効果を達成させるあらゆる設計変更が可能である。例えば、第二機械２、第三機械３、及び第四機械４の内の少なくとも２つが単一の装置に統合されるように設計を変更し、すなわち、スペースマネージャー２１、プロジェクト可能な空間のインスタンス３１Ａ、及びプロジェクター４１の内の少なくとも２つが同一の装置に保存されるようにしてもよい。
【００５７】
図１０及び図１１Ａ、図１１Ｂ及び図１１Ｃを参照し、図１０は好ましい第二実施形態における本発明に係る機械の機能を動的に構成する方法を応用するシステムの初期状態の概略図であり、図１１Ａ乃至図１１Ｃは図１０に示すの構成システムの順次動作の概念の概略図である。好ましい本実施形態は図８及び図９Ａ乃至図９Ｃの好ましい実施形態に大方類似するため、ここでの再述は避ける。好ましい本実施形態と前述の好ましい実施形態との差異は、第一機械１のエージェント１１’がプロジェクターである点である。よって、構成システムはプロジェクターを保存するための機械が不要になる。
【００５８】
同様に、ユーザー５が第一機械１の機能及び／或いは動作プロセスを設定する場合、実際の需要に応じて第二機械２のスペースマネージャー２１により第三機械３のプロジェクト可能な空間のインスタンス３１Ａを構成させ、且つ構成完了後にプロジェクト可能な空間のインスタンス３１Ａに対応する統一資源識別子（ＵＲＩ）を第一機械１に伝送させる（図１１Ａ参照）。次に、ユーザー５が第二機械２から伝送させた統一資源識別子が第一機械１のエージェント１１’により受信されると共に自動的に開かれ、第三機械３のプロジェクト可能な空間のインスタンス３１Ａが獲得され、ステップＰ１及び図１１Ｂに示すようになる。
【００５９】
なお、第一機械１のエージェント１１’自体がプロジェクター４１であるため、第一機械１が獲得したプロジェクト可能な空間のインスタンス３１Ａに対する直接的な解析が行われ、且つ第一機械１上で作業環境が構築される。プロジェクト可能な空間のインスタンス３１Ａがエージェント１１’により解析された後、投影されたワークスペース３１Ｂがプロジェクト可能な空間のインスタンス３１Ａの内容に基づいて作業環境上に構築され、ステップＰ２及び図１１Ｃに示すようになる。これにより、第一機械１により投影されたワークスペース３１Ｂの動作に応じてユーザー５が必要な機能及び／或いは動作プロセスが提供される。
【００６０】
以上の説明に基づくと、本発明に係る機械の機能を動的に構成する方法は、機械が動的な（ｄｙｎａｍｉｃ）機能を有し、ユーザーは機械の機能に対して自由に構成及び設定を行うことができる。よって、本発明は機械がユーザーの生活習慣や需要に寄り添ったものとなり、その応用範囲は様々な分野に広がり、例えば、家庭用電化製品、医療設備、インターネット設備等に広がる、極めて高い産業的価値を有する発明である。
【００６１】
以上が本発明の好ましい実施形態のみのであり、本発明の権利請求範囲を限定するものではなく、本発明の精神を逸脱せずに行う同等の効果を達成させる改変または修飾も、本発明の範囲内に含まれる。
【符号の説明】
【００６２】
１  第一機械
２  第二機械
３  第三機械
４  第四機械
５  ユーザー
１１  エージェント
１１’  エージェント
２１  スペースマネージャー
３１Ａ  プロジェクト可能な空間のインスタンス
３１Ｂ  投影されたワークスペース
４１  プロジェクター
９７１  第一電子デバイス
９７２  第二電子デバイス
９７３  プロジェクト可能な空間のインスタンス
９７４  プロジェクター
９７５  作業環境
９７６  投影されたワークスペース
９７７  マイクロカーネル
９７９  Ｄｒｏｐｂｏｘ
９８０  統一スクリプト
９８１  個人用ワークスペース
９８２  Ｄｒｏｐｂｏｘ
９８３  クラウドストレージ
９８４  サーバー
９８５  元の情報
９８５’  統一情報ユニット
９８６  元のツール
９８６’  第一統一ツール
９８７  元のツール
９８７’  第二統一ツール
９８９  アダプタ
９９１  元の要素
９９２  マテライザー
９９３  統一データモデル
９９４  統一要素
９７３１  統一スクリプト
９７６１  破線枠
９７６１’  Ｄｒｏｐｂｏｘ入力器
９７６２  破線枠
９７６２’  イメージビューア
９７９１  ｊｐｇフォーマットイメージファイル
９７９１’  統一ｊｐｇフォーマットイメージファイル
９７９２  ｊｐｇフォーマットイメージファイル
９７９２’  統一ｊｐｇフォーマットイメージファイル
９７９３  ｇｉｆフォーマットイメージファイル
９７９３’  統一ｇｉｆフォーマットイメージファイル
９８８１  情報入力器
９８８２  情報入力器
９８８３  情報入力器
Ｐ１  ステップ
Ｐ２  ステップ
【図１】
2017523542.tif 000003
【図２】
2017523542.tif 000004
【図３】
2017523542.tif 000005
【図４】
2017523542.tif 000006
【図５Ａ】
2017523542.tif 000007
【図５Ｂ】
2017523542.tif 000008
【図６】
2017523542.tif 000009
【図７】
2017523542.tif 000010
【図８】
2017523542.tif 000011
【図９Ａ】
2017523542.tif 000012
【図９Ｂ】
2017523542.tif 000013
【図９Ｃ】
2017523542.tif 000014
【図１０】
2017523542.tif 000015
【図１１Ａ】
2017523542.tif 000016
【図１１Ｂ】
2017523542.tif 000017
【図１１Ｃ】
2017523542.tif 000018
【国際調査報告】
2017523542.tif 000019
2017523542.tif 000020
2017523542.tif 000021